(57)【要約】【課題】フレキシブルシャフトにおける異種金属の接触による鋼線の腐食を、容易かつ高い信頼性をもって防止し得るようにする。【解決手段】引っ張りコイルバネ状に形成された断面円形の鋼鉄材からなる丸鋼線３４と、丸鋼線の外周側で丸鋼線間に挟み込まれるように巻き付けられた金属製で断面三角形状の三角線３５とからなるフレキシブルシャフト３１を含む支持パイプを備えているグースネックマイクロホンにおいて、支持パイプ内に、丸鋼線３４の鋼鉄材よりもイオン化傾向が大きな金属を含む、丸鋼線３４に対する犠牲電極５を設ける。【選択図】図２
2015084491.tif 000002
【特許請求の範囲】
【請求項１】
引っ張りコイルバネ状に形成された断面円形の鋼鉄材からなる丸鋼線と、上記丸鋼線の外周側で上記丸鋼線間に挟み込まれるように巻き付けられた金属製で断面三角形状の三角線とからなるフレキシブルシャフトを含む支持パイプを備え、上記支持パイプの先端側にマイクロホンユニットが支持され、上記支持パイプの後端側に音声信号出力部が装着されていて、上記マイクロホンユニットと上記音声信号出力部とが上記支持パイプ内に挿通されるマイクロホンケーブルにて電気的に接続されているグースネックマイクロホンにおいて、
上記支持パイプ内には、上記丸鋼線の鋼鉄材よりもイオン化傾向が大きな金属を含む、上記丸鋼線に対する犠牲電極が設けられていることを特徴とするグースネックマイクロホン。
【請求項２】
上記マイクロホンケーブルは、そのほぼ全長にわたってシールド編組が露出された２芯シールド被覆線からなり、上記シールド編組上に上記犠牲電極が設けられていることを特徴とする請求項１に記載のグースネックマイクロホン。
【請求項３】
上記フレキシブルシャフトの内周面側に、上記犠牲電極が設けられていることを特徴とする請求項１に記載のグースネックマイクロホン。
【請求項４】
上記犠牲電極は、上記フレキシブルシャフトの内面に露出している上記丸鋼線に沿って形成されていることを特徴とする請求項３に記載のグースネックマイクロホン。
【請求項５】
上記犠牲電極は、所定のバインダー内に上記丸鋼線の鋼鉄材よりもイオン化傾向が大きな金属粉末を含むコーティング被膜からなることを特徴とする請求項１ないし４のいずれか１項に記載のグースネックマイクロホン。
【請求項６】
上記犠牲電極は、亜鉛からなることを特徴とする請求項１ないし５のいずれか１項に記載のグースネックマイクロホン。
【発明の詳細な説明】
【技術分野】
【０００１】
本発明は、マイクロホンユニットを屈曲自在で自己保形性を有するフレキシブルシャフトにより支持してなるグースネックマイクロホンに関し、さらに詳しく言えば、フレキシブルシャフトの腐食（電食）を防止する技術に関するものである。
【背景技術】
【０００２】
グースネックマイクロホンは、一部もしくは全部がフレキシブルシャフトからなる支持パイプを備え、その先端部にマイクロホンユニットが支持され、下端部側には音声信号出力部が装着されているマイクロホンで、話者の口元に近づけるようにマイクロホンユニットの向きを自在に変えることができることから、会議場等によく用いられている。
【０００３】
例えば特許文献１に記載されているように、フレキシブルシャフトは、引っ張りコイルバネ状に形成された断面円形の鋼鉄材からなる丸鋼線と、その丸鋼線の外周側で丸鋼線間に挟み込まれるように巻き付けられた断面三角形状の例えば黄銅合金からなる三角線とから構成されていて、丸鋼線と三角線との間に発生する強い摩擦係合力により、自己保形性が発揮される。
【０００４】
しかしながら、鋼線と黄銅合金との異種金属の接触により、鋼線が腐食（電食とも言う）する、という問題がある。この腐食は経時的に進行して錆粉が発生し、この錆粉がフレキシブルシャフトの屈曲に伴って支持パイプ内を落下し、その下端部側に設けられている音声信号出力部内に入り込み、これが原因で、電気的故障が発生することがある。
【０００５】
また、これとは別に、腐食により丸鋼線と三角線との間の摩擦力が低下して、フレキシブルシャフトの保持力が低下する、という問題もある。
【０００６】
そこで、特許文献１に記載された発明では、フレキシブルシャフトの内周面に防錆材を塗布して、錆粉の発生を抑えることが提案されている。
【０００７】
しかしながら、フレキシブルシャフトの内径が小さい場合には、その内周面に防錆被膜を形成することが困難であり、また、防錆被膜を形成し得たとしても、フレキシブルシャフトの屈曲により剥離する等の問題がある。
【先行技術文献】
【特許文献】
【０００８】
【特許文献１】特許第４４７６８３８号公報
【発明の概要】
【発明が解決しようとする課題】
【０００９】
したがって、本発明の課題は、フレキシブルシャフトにおける異種金属の接触による鋼線の腐食を、容易かつ高い信頼性をもって防止し得るようにしたグースネックマイクロホンを提供することにある。
【課題を解決するための手段】
【００１０】
上述した課題を解決するため、本発明は、引っ張りコイルバネ状に形成された断面円形の鋼鉄材からなる丸鋼線と、上記丸鋼線の外周側で上記丸鋼線間に挟み込まれるように巻き付けられた金属製で断面三角形状の三角線とからなるフレキシブルシャフトを含む支持パイプを備え、上記支持パイプの先端側にマイクロホンユニットが支持され、上記支持パイプの後端側に音声信号出力部が装着されていて、上記マイクロホンユニットと上記音声信号出力部とが上記支持パイプ内に挿通されるマイクロホンケーブルにて電気的に接続されているグースネックマイクロホンにおいて、
上記支持パイプ内には、上記丸鋼線の鋼鉄材よりもイオン化傾向が大きな金属を含む、上記丸鋼線に対する犠牲電極が設けられていることを特徴としている。
【００１１】
本発明において、上記マイクロホンケーブルは、そのほぼ全長にわたってシールド編組が露出された２芯シールド被覆線からなり、上記シールド編組上に上記犠牲電極が設けられていることが好ましい。
【００１２】
別の態様として、上記フレキシブルシャフトの内周面側で、好ましくはその内面に露出している上記丸鋼線に沿って上記犠牲電極が設けられてもよい。
【００１３】
作業性の観点から、上記犠牲電極は、所定のバインダー内に上記丸鋼線の鋼鉄材よりもイオン化傾向が大きな金属粉末を含むコーティング被膜からなることが好ましい。
【００１４】
上記鋼鉄材よりもイオン化傾向が大きな金属であれば、上記鋼鉄材の犠牲電極になり得るが、比較的入手が容易で、かつ、安価な亜鉛であることが好ましい。
【発明の効果】
【００１５】
本発明によれば、マイクロホンユニットを支持する支持パイプ内に、フレキシブルシャフトにおける丸鋼線の鋼鉄材よりもイオン化傾向が大きな金属（鉄よりも電子を放出しやすい金属）を含む犠牲電極を設けたことにより、丸鋼線よりも犠牲電極の方が先に腐食（電食）するため、丸鋼線と三角線との異種金属の接触による丸鋼線の腐食を高い信頼性をもって防止することができる。
【００１６】
また、マイクロホンケーブルには２芯シールド被覆線が用いられるが、そのほぼ全長にわたって外皮を除去してシールド編組を露出させ、そのシールド編組上に犠牲電極を設けることにより、マイクロホンケーブルを支持パイプ内に挿通するだけの簡単な作業で、フレキシブルシャフトの丸鋼線に対して犠牲電極を配置することができる。
【図面の簡単な説明】
【００１７】
【図１】本発明の一実施形態に係るグースネックマイクロホンの全体を示す断面図。
【図２】上記グースネックマイクロホンが備えるフレキシブルシャフト内に犠牲電極を設ける第１の態様を示す拡大部分断面図。
【図３】上記グースネックマイクロホンが備えるフレキシブルシャフト内に犠牲電極を設ける第２の態様を示す拡大部分断面図。
【図４】本発明で好ましく採用されるマイクロホンケーブルを示す斜視図。
【発明を実施するための形態】
【００１８】
次に、図１ないし図４により、本発明の実施形態について説明するが、本発明はこれに限定されるものではない。
【００１９】
まず、図１を参照して、この実施形態に係るグースネックマイクロホン１において、マイクロホンユニット２は、支持パイプ３の先端（上端）に支持されており、支持パイプ３の後端（下端）には、音声信号出力部４が装着されている。
【００２０】
マイクロホンユニット２は、コンデンサマイクロホンユニットであってよく、図示しないが、その内部には、所定の間隔をもって対向的に配置される振動板と固定極とを含むマイクロホンカプセルが収納されている。
【００２１】
音声信号出力部４は、出力モジュール部とも呼ばれ、黄銅合金もしくはアルミニウム等の金属材からなる円筒状のシールドケース４１を備えている。この音声信号出力部４は、図示しないテーブル等の基台に所定の固定金具を介して立設される。
【００２２】
シールドケース４１内には、音声信号の増幅回路やローカット回路等を有する回路基板４２と、ファントム電源と接続される出力コネクタ４３とが収納されている。出力コネクタ４３には、ＥＩＡＪ  ＲＣ−５２３６「音響機器用ラッチロック式丸型コネクタ」に規定されている３極式のコネクタが用いられてよい。
【００２３】
回路基板４２は、支持パイプ３内に挿通されるマイクロホンケーブル２１を介してマイクロホンユニット２と電気的に接続される。また、回路基板４２は、出力コネクタ４３とも電気的に接続される。
【００２４】
支持パイプ３は、話者によってマイクロホンユニット２の向きを自在に変えられるようにするためのフレキシブルシャフト３１を備えるが、この実施形態では、フレキシブルシャフト３１として、マイクロホンユニット２側の上部フレキシブルシャフト３１ａと、音声信号出力部４側の下部フレキシブルシャフト３１ｂとを有し、これらが金属材からなる中間の直管パイプ３２により同軸的に連結されている。なお、支持パイプ３の全体がフレキシブルシャフト３１により構成されてもよい。
【００２５】
図２を参照して、フレキシブルシャフト３１（３１ａ，３１ｂ）は、引っ張りコイルバネ状に形成された断面円形の鋼鉄材からなる丸鋼線３４と、丸鋼線３４の外周側で丸鋼線間に挟み込まれるように緊密に巻き付けられた断面三角形状の金属製（この実施形態では黄銅合金）の三角線３５とからなり、屈曲自在で、かつ、丸鋼線３４と三角線３５との摩擦力にて屈曲された状態を保つ自己保形性を備えている。
【００２６】
図４を参照して、マイクロホンケーブル２１は、２芯シールド被覆線で、内部シース２２内に挿通された電源線２３ａおよび信号線２３ｂと、内部シース２２の外周面全体を覆うメッシュ状のシールド編組２４とを備えている。
【００２７】
シールド編組を有するケーブルでは、マイクロホンケーブルに限らず、通常、シールド編組は、ケーブルの全長にわたって外部シース（外皮）により覆われているが、この実施形態では、その外部シースを除去して、マイクロホンケーブル２１のほぼ全長にわたってシールド編組２４が露出された状態で用いる。
【００２８】
先にも説明したように、フレキシブルシャフト３１に含まれている丸鋼線３４と三角線３５は異種金属（鋼鉄材と黄銅合金）であることから、丸鋼線３４が腐食（電食とも言う）する、という問題がある。
【００２９】
この問題を解決するため、本発明では、支持パイプ３内に、丸鋼線３４の鋼鉄材よりもイオン化傾向が大きな金属（鉄よりも電子を放出しやすい金属）を含む犠牲電極が設けられるが、これには第１の態様と第２の態様とがある。
【００３０】
まず、第１の態様では、図２に示すように、マイクロホンケーブル２１のシールド編組２４上に、好ましくは亜鉛からなる犠牲電極５を形成する。この犠牲電極５を形成するにあたっては、所定のバインダー内に亜鉛粉末（亜鉛粒子）を含むコーティング剤を用いるとよい。
【００３１】
この種のコーティング剤としては、ニッペホームプロダクツ社製の防錆ジンクスプレー（素材：日本ペイント防錆コーティングス社製の亜鉛粉末塗料「ジンキー」）を例示することができる。
【００３２】
このように、マイクロホンケーブル２１のシールド編組２４上に、亜鉛コーティング被膜よりなる犠牲電極５を形成することにより、丸鋼線３４よりも先に犠牲電極５の腐食が進行し、その結果、丸鋼線３４の腐食を防止することができる。
【００３３】
また、シールド編組２４上に犠牲電極５を形成することにより、犠牲電極５と丸鋼線３４との電気的接続が確実となる。さらには、上記コーティング剤を用いることにより、マイクロホンケーブル２１のシールド編組２４上に、亜鉛コーティング被膜よりなる犠牲電極５を容易に形成することができ、また、亜鉛コーティング被膜には可撓性があるため、フレキシブルシャフト３１を屈曲しても、亜鉛粒子が脱落することはない。
【００３４】
なお、上記第１の態様では、マイクロホンケーブル２１のシールド編組２４上に、犠牲電極５を形成しているが、場合によっては、外部シース（外皮）上に、犠牲電極５を形成してもよく、また、犠牲電極５として、丸鋼線３４の鋼鉄材よりもイオン化傾向が大きな金属の箔やシート等を貼り付けてもよく、このような態様も本発明に含まれる。
【００３５】
次に、第２の態様として、図３に示すように、丸鋼線３４に対する犠牲電極５を、フレキシブルシャフト３１の内面に露出している丸鋼線３４に沿って形成するようにしてもよい。この場合にも、上記コーティング剤を使用することにより、亜鉛粒子を含む犠牲電極５を容易に形成することができる。なお、図２，３において、シールド編組２４は、内部シース２２の外周面を覆っている状態を示している。
【００３６】
丸鋼線３４と犠牲電極５は、電気的に接続されていればよいことから、さらに別の態様として、例えば、音声信号出力部４のシールドケース４１の外面もしくは内面に犠牲電極５を設け、その犠牲電極５をリード線等の導電部材を介して丸鋼線３４に電気的に接続するようにしてもよい。
【符号の説明】
【００３７】
１  グースネックマイクロホン
２  マイクロホンユニット
２１  マイクロホンケーブル
２４  シールド編組
３  支持パイプ
３１（３１ａ，３１ｂ）  フレキシブルシャフト
３２  中間パイプ
３４  丸鋼線
３５  三角線
４  音声信号出力部
４１  シールドケース
４２  回路基板
４３  出力コネクタ
５  犠牲電極
【図１】
2015084491.tif 000003
【図２】
2015084491.tif 000004
【図３】
2015084491.tif 000005
【図４】
2015084491.tif 000006